(57)【要約】【課題】  アルミ押出材の縦桟と横桟からなる格子状の建具類の設置箇所に合わせ、縦桟部材や横桟部材や接合部材など自由に選択購入し、ビスを使用することなく容易に組立て可能に規格化した格子組立ユニットを提供する。【解決手段】  アルミ押出材からなる図１に示す面格子２などの格子状の建具類の格子組立ユニット１９で、これらは管状体からなる縦桟部材３と、管状体からなる横桟部材４と、縦桟部材側に突出する前部係止板６と横桟部材側に突出する後部係止板７を端部に有する接合部材５からなり、これらの縦桟部材３および横桟部材４にそれぞれ上記の接合部材５の前部係止板６および後部係止板７をそれぞれ挿通係止するスリット１４を形成しているアルミ合金押出し材やその他の金属押出材からなる格子組立ユニット１９。【選択図】      図１
2007284889.tif 000002
【特許請求の範囲】
【請求項１】
管状体からなる縦桟部材と、管状体からなる横桟部材と、縦桟部材側に突出する前部係止板と横桟部材側に突出する後部係止板を端部に有する接合部材からなり、これらの縦桟部材および横桟部材にそれぞれ上記の接合部材の前部係止板および後部係止板をそれぞれ挿通係止するスリットを形成していることを特徴とする金属押出材からなる格子組立ユニット。
【請求項２】
接合部材に有する前部係止板および後部係止板は縦桟部材および横桟部材のそれぞれに形成のスリットに係合する楔を前部係止板先端および後部係止板先端のそれぞれに有することを特徴とする請求項１に記載の金属押出材からなる格子組立ユニット。
【請求項３】
接合部材に有する前部係止板は縦桟部材に形成のスリットに係合する楔を前部係止板先端に有し、該接合部材に有する後部係止板は横桟部材に形成のスリットの開口端に嵌合する凹部を後部係止板基部に有し、横桟部材に形成のスリットは横桟部材の端部から横桟部材の長手方向に開口のスリット溝から形成していることを特徴とする請求項１に記載の金属押出材からなる格子組立ユニット。
【請求項４】
接合部材は前面両端部に前部係止板を有し、かつ、後面両端部に係合足を有する板状体と、該板状体の係合足を嵌合する嵌合溝を両端部に有し、かつ、後面の一端部から後方に突出する後部係合板を有する板状ホルダーからなることを特徴とする請求項３に記載の金属押出材からなる格子組立ユニット。
【発明の詳細な説明】
【技術分野】
【０００１】
この発明は、面格子や手すりやフェンスや門扉などを形成する部材であるアルミ合金材などの金属押出材から成形した管状体からなる横桟部材や縦桟部材の接合面である背面側にそれぞれスリットを形成し、このスリットに挿着係合する楔や係合凹部を設けた係止板を有する接合部材を嵌合することにより、縦桟部材および横桟部材などの桟部材を互いに接合して面格子や手すりやフェンスや門扉などの格子状の建具に組立てるための、縦桟部材および横桟部材と接合部材の組合わせからなるアルミ押出材その他の金属材からなる格子用の組立ユニットに関する。
【背景技術】
【０００２】
従来、成形したアルミ建材その他の金属建材からなる面格子や門扉やフェンスなどの格子状の建具類は、通常は工場で成形部材である縦桟部材や横桟部材を面格子や手すりやフェンスや門扉状に組み合わせて要所をネジ留め、あるいは、溶接して格子状の建具類の規格製品に組立てられ、完成品として工場から出荷される。これらの完成品は、家屋やマンションの建築に合わせて、施工業者により建築施工現場で家屋あるいはマンションあるいはその周りの所定の設置場所に設置され、家屋やマンションの面格子や門扉やフェンスなどの格子状の建具類とされている。
【０００３】
ところで、このような従来の面格子や門扉やフェンスなどのアルミ建材やその他の金属建材からなる格子状の建具類は、工場から出荷する際に、既に格子状の建具類の完成品とされている。しかしながら、このような面格子や門扉やフェンスなどの格子状の建具類は、各部材の縦桟部材や横桟部材の桟部材間が離間しており、このために完成品一体の格子状の建具類の占める面積は素材量に比して大面積を占有している。そのため、トラック輸送などでは、１台のトラックに多数の製品を載置することができず、数が限られるので輸送コストが掛かる。また、建具屋や建材店などの店頭に陳列したり、倉庫に保管したりする場合にも、大きな場所を占有することとなり、在庫にコストが掛かるなど、種々の問題点を有している。
【０００４】
本出願人は、窓などの防犯用の面格子において、火災時に容易に家屋内側から格子の離間した縦桟部材を横にスライドして開放口を形成して避難を容易とするスライド格子からなる面格子を開発している。このスライド格子からなる面格子においても、完成品を工場生産した場合は、上記と同様に輸送や保管に場所を要する問題がある。
【０００５】
従来、窓サッシや玄関引戸などの組子格子として組み立てる際に、交差して組み立てるための組子格子の管状の縦桟と横桟の一方に切欠きを設け、この切欠きに立設する段状係合部からなる楔状の係合子を有する基板を嵌合し、この係合子を他方の桟部材に開口した孔に係合して一体化した組子格子の発明が提案されている（例えば、特許文献１参照。）。しかし、この組子格子は一方の桟部材の管を大きく切欠いて開口する必要があり、また係合子は１本の足を有するのみであるので、縦桟と横桟の係合が緩みやすく、縦桟と横桟が緩んでがたつきやすい恐れがある。
【０００６】
さらに、一方の桟部材から切出した滑り縁部を有する嵌合突起を交差する他方の桟部材の曲縁内に端部から通して接合する手段が提案されている（例えば、特許文献２参照。）。しかし、この手段では、桟部材などの部材から切出した滑り縁部を嵌合突起として他方の桟部材の曲縁内に係合するものであり、桟部材から切り出した滑り縁部の嵌合突起が折れてしまうと修復できず桟部材自体を廃棄処分しなければならなかった。
【０００７】
【特許文献１】実公昭６２−５６６９１号公報
【特許文献２】特開平１０−２９２７５１号公報
【発明の開示】
【発明が解決しようとする課題】
【０００８】
本発明が解決しようとする課題は、アルミ押出材やその他の金属押出材からなる縦桟および横桟を有する面格子や手すりやフェンスや門扉などの格子状の建具類において、それらは通常、工場で完成品の状態として出荷し、販売されるが、これらと異なり、格子状の建具類の設置箇所に合わせて、その格子状の建具類の縦桟部材や横桟部材あるいはその接合部材などの部材を設置目的の形状および大きさに合わせて選択および組み合わせして購入でき、しかもビスや溶接などを使用することなく、しかも、出来るだけ少ないネジ留めとして容易に組立て可能にそれらの部材を規格化およびユニット化することで、建材店あるいはホームセンターなどの量販店で販売可能とし、かつ、製品に比して容積の小さな組立用の部材とすることで、完成品の場合の輸送コストおよび保管コストを大幅に削減せしめた格子状の建具類の組立用の桟部材および接合部材であるアルミ合金押出材その他の金属押出材からなる格子組立ユニットを提供することである。
【課題を解決するための手段】
【０００９】
上記の課題を解決するための本発明の手段は、請求項１の発明は、アルミ押出材やその他の金属押出材からなる面格子や手すりやフェンスや門扉などの格子状の建具類の格子組立ユニットで、これらは管状体からなる縦桟部材と、管状体からなる横桟部材と、縦桟部材側に突出する前部係止板と横桟部材側に突出する後部係止板を端部に有する接合部材からなり、これらの縦桟部材および横桟部材にそれぞれ上記の接合部材の前部係止板および後部係止板をそれぞれ挿通係止するスリットを形成していることを特徴とするアルミ合金押出し材やその他の金属押出材からなる格子組立ユニットである。
【００１０】
請求項２の発明は、上記の接合部材に有する前部係止板および後部係止板は縦桟部材および横桟部材のそれぞれに形成のスリットに係合する楔を前部係止板先端および後部係止板先端のそれぞれに有することを特徴とする請求項１の手段のアルミ合金押出材やその他の金属押出材からなる格子組立ユニットである。
【００１１】
請求項３の発明は、上記の接合部材に有する前部係止板は縦桟部材に形成のスリットに係合する楔を前部係止板先端に有し、該接合部材に有する後部係止板は横桟部材に形成のスリットの開口端に嵌合する凹部を後部係止板基部に有し、横桟部材に形成のスリットは横桟部材の端部から横桟部材の長手方向に開口のスリット溝から形成していることを特徴とする請求項１の手段のアルミ合金押出材やその他の金属押出材からなる格子組立ユニットである。
【００１２】
請求項４の発明では、上記の接合部材は前面両端部に前部係止板を有し、かつ、後面両端部に係合足を有する板状体と、該板状体の係合足を嵌合する嵌合溝を両端部に有し、かつ、後面の一端部から後方に突出する後部係合板を有する板状ホルダーからなることを特徴とする請求項３の手段のアルミ合金押出材やその他の金属押出材からなる格子組立ユニットである。
【００１３】
ここで、上記の本発明の手段の作用について説明する。従来、面格子や手すりやフェンスや門扉などの格子状の建具類は、それらの構成部材である格子部材の接合方法にビスで固定するものでは、ネジ締めに時間がかかる問題があった。しかし、本手段では、接合する前部桟部材や後部桟部材の接合は、これらの部材に有するスリットに接合部材を介在させてその係止板を押し込み嵌合することで固定できるので、嵌合に時間を要することなく、しかも、工場で組み立て完成品として出荷することなく、ユニット部材として出荷するので、完成品とする加工費用が削減でき、かつ工場からの出荷および販売における流通を改革できる。
【００１４】
さらに、この手段では、横桟部材に形成のスリットは横桟部材の端部から横桟部材の長手方向に開口するスリット溝から形成し、接合部材に滑動を良好とした板状ホルダーを採用して縦桟部材を接合部材で横桟部材に係合するとき、この横桟部材を用いて形成した格子の面格子は、これらの縦桟部材は横桟部材のスリット溝方向の横方向にスライドして可動できるので、緊急時に縦桟部材をスライドさせて緊急脱出口として開口可能とするスライド面格子を容易に形成することができる。
【発明の効果】
【００１５】
本発明は、アルミ押出材やその他の金属押出材からなる面格子などの格子部材である縦桟部材や横桟部材と、これらを係合する接合部材とを、それぞれ規格化してユニット化すし、ユニット化した各部材の組み合わせを選択することで、種々の大きさや形状の格子状の建具類を自在に組立可能とし、工場から完成品として製品出荷するものではなく、製品組立用の部材として小容量化して出荷し、顧客側で製品に組み立てるものとすることで、搬送コストおよび商品の展示場所の節減を図ることができ、さらに面格子等の建具類への組立を簡単な用具で技量を要せず素人でも容易に組立可能で、また、さらに建具類の部材の一部が損傷した場合、損傷した部材のみを自由に交換して建具類自体を補修することができ、さらに、設置現場で組立てるので製品に搬送時につくような疵の防止ができるなど、本発明は従来にない優れた効果を奏する。
【発明を実施するための最良の形態】
【００１６】
本発明を実施するための格子組立ユニット１９の最良の形態について説明する。先ず、図１に模式的に窓の開口部１を示すものであるが、この窓の開口部１に使用する面格子２を例として示す。この格子組立ユニット１９からなる格子を窓の開口部１の外側に取り付ける防犯用の面格子２とするものを例として説明する。なお、この面格子２では縦桟部材３は固定されてスライドしないタイプのものである。この面格子２を組み立てる部材である格子組立ユニット１９は、格子の縦の部材とする縦桟部材３と、格子の横の部材とする横桟部材４と、これらの縦桟部材３と横桟部材４を接合するための部材である接合部材５からなっており、これらはいずれもアルミ合金製の押出し材から形成されている。
【００１７】
上記の面格子２は、窓の開口部１において、上下の２箇所に横方向に取り付けた横桟部材４を有し、これらの上下の横桟部材４の外側に複数本の縦方向の縦桟部材３が等間隔に接合されて形成されている。これらの縦桟部材３および横桟部材４は管状に押し出したアルミ合金製の管状体から形成されている。これらの上下の横桟部材４に縦桟部材３を接合するために、例えば、図２に示す接合部材５を横桟部材４と縦桟部材３の間に介在させて接合する。この接合部材５は、図３に示すように、上下の前後対称位置のそれぞれ先端に楔８を有して水平に突出した前部係止板６と後部係止板７から形成されている。この接合部材５はアルミ合金の押出し材から適宜長さに切断して形成されている。
【００１８】
図２の（ａ）に示すように、縦桟部材３の管状体の接合面である背面板３ａにはスリット１４を有し、このスリット１４に接合部材５の前部係止板６が挿通され係止される。さらに、横桟部材４の管状体の接合面である前面板４ａには同様にスリット１４を有し、このスリット１４に接合部材５の後部係止板７が挿通され係止される。すなわち、図２の（ｂ）に見られるように、接合部材５の後部係止板７が横桟部材４の前面板４ａのスリット１４に挿通されて後部係止板７の先端の楔８で係止され、次いで、この横桟部材４に係止された接合部材５の前部係止板６は、その前方の縦桟部材３の管状体の背面板３ａスリット１４に挿通されて前部係止板６の先端の楔８で係止され、面格子２とされる。
【００１９】
さらに、他の実施の形態である接合部材５は板状体１０と板状体１０を支持する板状ホルダー１３からなるものである。この接合部材５は、窓の開口部１の外側に防犯用として取り付ける面格子であるが、出願人が既に開発している火災時などの緊急時に縦格子部材３が内部から横にスライドして緊急脱出口１８として使用しうる面格子に係るものである。すなわち、図４に示すように、この板状体１０は前部係止板６と後部の係合足９をそれぞれ端部に有する。一方、図５あるいは図６に示すように、この係合足９を嵌合するための嵌合溝１１を両端部内に有する板状ホルダー１３を有する。この板状ホルダー１３には、後面の一端部、例えば上端部から後方に突出する後部係合板１２を有する。これらの板状体１０と板状ホルダー１３は組み合わせされて接合部材５とされる。これらの接合部材５を形成する板状体１０および板状ホルダー１３はそれぞれアルミ合金の押出し材から適宜長さに切断して形成される。
【００２０】
図４の（ａ）〜（ｄ）に示すように、この板状体１０には、種々の形状のものがあり、（ａ）の上部と下部に水平方向の２枚の前部係止板６を有する基本形状のものと、（ｂ）の上部と中部と下部に水平方向の３枚の前部係止板６を有する形状のものがある。さらに（ｃ）の左端部と右端部に垂直方向の２枚の前部係止板６を有する形状のものと、（ｄ）の中央部に垂直方向の１枚の前部係止板６を有する形状のものがある。
【００２１】
ところで、図５あるいは図６に示すように、格子の後部に配置される横桟部材４の管状体の前面板４ａの上部には、横桟端部４ｃからスリット溝１５が横桟部材４の長手方向に設けられている。このスリット溝１５には接合部材５を形成する板状ホルダー１３の上端から後方に延在する後部係合板１２が横桟端部４ｃから挿通されて横方向に滑動可能に係合される。この後部係合板１２は後部係止板７の係止板基部７ａを形成し、その先端は断面が緊急時にスライド可能な縦桟部材３とするために連結する図示しない鎖などを通すためのリング状部７ｃに形成されている。このリング状部７ｃの基部には、図５のものでは横桟部材４の前面板４ａと平行な係止板７ｄを有して横桟部材４内で係止され、図６のものでは凹部７ｂを形成して横桟部材４の前面板４ａのスリット溝１５の一端に嵌合され、横に滑動しても前後に振れないように保持される。
【００２２】
図７は上記の縦格子スライドタイプの面格子２の組立用ユニットの縦桟部材３と横桟部材４と面格子２の左右端部の縦枠材１６の一式をユニット販売のために詰めた箱体１７の平面図である。この横桟部材４には緊急時にスライドする縦桟部材３の開放端部とするための滑動部材４ｂを既に横桟部材４に配設している。さらに横桟部材４と滑動部材４ｂのには図５あるいは図６で示す滑動タイプの接合部材５を既にスリット溝１５に通してそれぞれの位置に係合しているものである。従って、この箱体１７をホームセンターなどの量販店で購入して、縦格子スライドタイプの面格子２に組立て取り付けることができる。
【００２３】
図７の箱体１７で購入した縦格子スライドタイプの面格子２の組立用ユニットを用い先ず、上下の横枠部材４の両端部に縦枠材１６をとりつける。これは図５あるいは図６に示す横桟部材４の端部に形成のネジ孔１６ｂに縦枠材１６を当てがい、縦枠材１６のネジ孔１６ａからネジを通してネジ締めして組み付ける。図８は上下の横枠部材４の左右両端部に縦枠部材３を係止した状態を示す図である。図９は全ての縦枠部材３を係止して縦桟部材３のスライドタイプの面格子２として組み上がった状態を示し、（ａ）は通常時の面格子２で、（ｂ）は緊急時に左右端の縦格子部材３を残してその間の全ての縦桟部材３を滑動部材４ｂにより右方にスライドして緊急脱出口１８を設けた状態を示す。
【００２４】
図１０か１２は、本発明の格子組立ユニット１９の格子部材の応用例を例示するものである。これらの部材も材料として販売するものである。例えば、図１０は本発明の手段の格子組立ユニット１９の格子部材をドッグケージ２０としての応用した例を示す斜視図である。このドックケージ２０とするときは、縦桟部材３と横桟部材４とそれらの接合部材５の他に縦方向に隅部に立てる隅枠部材２１を有し、この隅枠部材２１には横桟部材４を挿通固定する図示しない開口孔を側面に有する。
【００２５】
図１１は本発明の手段の格子組立ユニット１９の格子部材を門扉２２として応用した例の斜視図で、左右の門柱２３の間に設置するもので上下の横桟部材４に縦桟部材３を図示しない接合部材５で取付けて左右の門扉２２としたもので、それらはそれぞれ独立して左右の門柱２３に図示しない蝶番で回転自在に取付けられている。図１２は柵又はフェンス２４として応用した例の斜視図である。コンクリート基台２５上に適宜間隙で取付柱２６を立設し、この取付柱２６に横桟部材４を上下に係止し、これらの横桟部材４に図示しない接合部材５で縦桟部材３を係止したものである。これらの縦桟部材３の上端は飾り頭部２７を取り付けている。
【図面の簡単な説明】
【００２６】
【図１】格子組立ユニットを窓の開口部に面格子として設けた組立ての斜視図である。
【図２】組立前の一部破断して示す固定の縦桟部材と接合部材および横桟部材で、（ａ）は各部材を示し、（ｂ）は接合部材を横桟に取り付けた状態を示す。
【図３】固定の縦桟部材に使用する接合部材を示す斜視図である。
【図４】スライドタイプの格子組立ユニットの接合部材の各種の板状体を示す斜視図である。
【図５】組立前の一部破断して示すスライドタイプの縦桟部材と接合部材および横桟部材で、（ａ）は組み付け前の縦桟部材と横桟部材と接合部材を示し、（ｂ）は接合部材を横桟に取り付けた状態で、（ｃ）は組み付けた状態を示す。
【図６】上記の他の実施の形態の組立前の一部破断して示すスライドタイプの縦桟部材と接合部材および横桟部材で、（ａ）は組み付け前の縦桟部材と横桟部材と接合部材を示し、（ｂ）は接合部材を横桟に取り付けた状態で、（ｃ）は組み付けた状態を示す。
【図７】本発明のスライドタイプの格子組立ユニットの一式を詰めた箱体の平面図である。
【図８】上記のスライドタイプの格子組立ユニットの組み立て途中を示す図である。
【図９】上記のスライドタイプの格子組立ユニットの（ａ）は組み立完成図で、（ｂ）は緊急脱出時に縦格子部材をスライドした図である。
【図１０】本発明の格子部材をドッグケージとして使用した例を示す斜視図である。
【図１１】本発明の格子部材を門扉として使用した例を示す斜視図である。
【図１２】本発明の格子部材を柵又はフェンスとして使用した例を示す斜視図である。
【符号の説明】
【００２７】
１  窓の開口部
２  面格子
３  縦桟部材
３ａ  背面板
４  横桟部材
４ａ  前面板
４ｂ  滑動部材
４ｃ  横桟端部
５  接合部材
６  前部係止板
７  後部係止板
７ａ  係止板基部
７ｂ  凹部
７ｃ  リング状部
７ｄ  係止板
８  楔
９  係合足
１０  板状体
１１  嵌合溝
１２  後部係合板
１３  板状ホルダー
１４  スリット
１５  スリット溝
１６  縦枠材
１６ａ  ネジ孔
１６ｂ  ネジ孔
１７  箱体
１８  緊急脱出口
１９  格子組立ユニット
２０  ドッグケージ
２１  隅枠部材
２２  門扉
２３  門柱
２４  フェンス
２５  基台
２６  取付け柱
２７  飾り頭部
【図１】
2007284889.tif 000003
【図２】
2007284889.tif 000004
【図３】
2007284889.tif 000005
【図４】
2007284889.tif 000006
【図５】
2007284889.tif 000007
【図６】
2007284889.tif 000008
【図７】
2007284889.tif 000009
【図８】
2007284889.tif 000010
【図９】
2007284889.tif 000011
【図１０】
2007284889.tif 000012
【図１１】
2007284889.tif 000013
【図１２】
2007284889.tif 000014